(57)【要約】      （修正有）【課題】ペットの衛生管理が十分に図られ、ペットが安心して休息できる安価で、取扱が簡便なペットクリーンボックスを提供する。【解決手段】ペットが内部に出入り自在に収容できる箱体と、これに付設されるペットのダニ、抜け毛、匂いなどの屋内飛散の抑制手段、ペットの住空間の防虫、消臭効果の向上手段などと、箱体の内部にペット専用の排便具６やマット類７を配置したうえで、ペットの付着物の短時間除去には家庭用電気掃除機を、ペットの住空間の衛生管理中の排気手段には１００ｖ電源に連結される送風体等の使用により、ペットが安心して休息できる住空間を作ることが出来る。【選択図】図２
0003171449.tif 000002
【実用新案登録請求の範囲】
【請求項１】
ペット及び該ペットの収納される収納空間の清浄化を行うためのペットクリーンボックスであって、該ペットクリーンボックスは前記ペットが出入自在に収納される共に移動可能に形成され持ち運び可能な剛性を有すると共に軽量に形成される箱体と、該箱体の内部に連通して配設される吸気口及び排気口と、前記箱体内に出入可能に収納されるペット専用の排便具及びペット休息用のマットとを有するものからなり、前記吸気口及び排気口にはペット及びその収納空間の清浄化のための不織布又は多孔質素材が内装され、前記排気口には前記箱体内の空気を排出する排気手段が設けられることを特徴とするペットクリーンボックス。
【請求項２】
前記箱体は、天井側を開放して透明性のある部材で囲まれて前記収納空間を形成し前記ペットの出入可能な柔軟性の扉を開閉自在に形成すると共に前記天井側を着脱自在に被包する天井板とを有するものからなることを特徴とする請求項１に記載のペットクリーンボックス。
【請求項３】
前記吸気口の不織布又は多孔質素材には防虫剤や除菌剤や浄化剤が注入又は浸漬され、前記排気口の不織布又は多孔質素材には消臭剤や除菌剤や浄化剤が注入又は浸漬されることを特徴とする請求項１に記載のペットクリーンボックス。
【請求項４】
前記排気手段が、家庭用掃除機又は１００Ｖ電源に連結される送風体であることを特徴とする請求項１に記載のペットクリーンボックス。
【考案の詳細な説明】
【技術分野】
【０００１】
本考案は、ペット（主として屋内で飼育される小型犬）が散歩などの屋外活動で付着する土、埃、虫、花粉などの付着物の短時間除去、ペット特有のダニ、抜け毛、匂い等の屋内飛散の抑制、ペットの住空間の防虫、消臭効果の向上などの目的を達成するために使用するもので、人力のみでの移動可能な簡便で安価な構造の専用のペットクリーンボックスに関する。
【背景技術】
【０００２】
従来、ペットを散歩から連れ帰った際に、飼い主が玄関先や縁側でタオルとか雑巾とかブラシなど、簡単な道具を使ってペットに付いた付着物を除去しようとするが、生き物であるペットは、その間も動き回ろうとするのでなかなか上手くゆかず、ほとんどの場合、付着物が除去されない状態で屋内に入れている。屋内では、ペットと飼い主が同じ場所で生活し易いようにペット専用の排便具や専用マット類を置いているが、ペットの屋外活動での付着物の短時間除去、ペット特有のダニ、抜け毛、匂いなどの屋内飛散の抑制、ペットの住空間の防虫、消臭効果の向上などを図らないと、飼い主に非常に悪い影響を及ぼすことになる。なお、ペット専用ではないが付着物の浄化装置として「特許文献１」がある。
【先行技術文献】
【特許文献】
【０００３】
【特許文献１】特許公開２０１１−６７４９８号（図１）
【考案の概要】
【考案が解決しようとする課題】
【０００４】
「特許文献１」の「特許公開２０１１−６７４９８号」の「浄化装置」は断面形状が扁平な中空管状部材（１０）と、該中空管状部材（１０）の両端部に接続され、且つ、該中空管状部材（１０）の下方に配置された柱状部材（２０，３０）とを有し、前記中空管状部材（１０）の扁平な断面形状の長手方向は利用者の進行方向であり、柱状部材の一方（２０）の内部には浄化材の貯蔵部材（カートリッジ４）が収容され、前記中空管状部材（１０）の扁平な断面形状の長手方向には間隔を空けて複数の浄化材噴霧ノズル（５）が配置されている。しかしながらこのものはペットを主体としたものではなく、形状が大きくて屋内に運び込むことは不可能であり、ペットに付いた付着物の殺菌は出来るが、除去することは出来ない。
【０００５】
小型犬など屋内で飼育されるペットは、飼い主と同じ場所で生活するので、ペットの衛生管理が十分に図られる必要があると共に、我が子のように可愛いものなので、ペットが安心して休息できる住空間が必要である。
【０００６】
本考案は、以上の要請に鑑みて考案されたものであり、ペットの屋外活動での付着物の短時間除去、ペット特有のダニ、抜け毛、匂いなどの屋内飛散の抑制、ペットの住空間の防虫、消臭効果の向上などペットの清浄化や衛生管理を集中して行うことができ、内部にはペット専用の排便具やマット類を配置するに十分な空間が確保されていて、安価で且つ移動して使用しても安全で取り扱いが簡便な構造のペットクリーンボックスを提供することを目的とする。
【課題を解決するための手段】
【０００７】
本考案は、以上の目的を達成するために、請求項１の考案は、ペット及び該ペットの収納される収納空間の清浄化を行うためのペットクリーンボックスであって、該ペットクリーンボックスは前記ペットが出入自在に収納される共に移動可能に形成され持ち運び可能な剛性を有すると共に軽量に形成される箱体と、該箱体の内部に連通して配設される吸気口及び排気口と、前記箱体内に出入可能に収納されるペット専用の排便具及びペット休息用のマットとを有するものからなり、前記吸気口及び排気口にはペット及びその収納空間の清浄化のための不織布又は多孔質素材が内装され、前記排気口には前記箱体内の空気を排出する排気手段が設けられることを特徴とする。
【０００８】
また、請求項２の考案は、前記箱体は、天井側を開放して透明性のある部材で囲まれて前記収納空間を形成し前記ペットの出入可能な柔軟性の扉を開閉自在に形成すると共に前記天井側を着脱自在に被包する天井板とを有するものからなることを特徴とする。
【０００９】
また、請求項３の考案は、前記吸気口の不織布又は多孔質素材には防虫剤や除菌剤や浄化剤が注入又は浸漬され、前記排気口の不織布又は多孔質素材には消臭剤や除菌剤や浄化剤が注入又は浸漬されることを特徴とする。
【００１０】
また、請求項４の考案は、前記排気手段が、家庭用掃除機又は１００ｖ電源に連結される送風体であることを特徴とする。
【考案の効果】
【００１１】
本考案の請求項１のペットクリーンボックスによれば、ペットは扉を有する箱体内で休息が出来必要に応じて排便も出来るので長時間箱体内で安心して居住することが出来る。また、吸気口や排気口にペット及びその収納空間を清浄化する各種の清浄化剤が設けられているため箱体内は常時清浄化が保たれる。また、収納空間内の汚れ空気も排気手段により有効に排出される。
【００１２】
また、本考案の請求項２のペットクリーンボックスによれば、箱体が透明性のものから形成されるため、内部の様子が常に観察出来ペットの衛生管理が確保される。また、天井板が着脱自在のため排便具やマット類の出入が容易に出来る上に夫々を分散して移動することが出来るため取扱性の向上が図れる。
【００１３】
また、本考案の請求項３のペットクリーンボックスによれば、不織布や多孔質素材に各種の清浄剤を注入又は浸漬することが出来、ペットの衛生管理が十分に行われ寿命の向上が図れる。
【００１４】
また、本考案の請求項４のペットクリーンボックスによれば、排気手段としてペットの付着物の短時間除去には家庭用電気掃除機の吸引部先端フレキシブルチューブを、住空間の衛生管理中には１００ｖ電源に連結された送風体の吸引部先端を、目的に応じて、箱体排気口に係合させて使用することで経済性、静粛性など各種の性能を向上させる効果が得られる。
【図面の簡単な説明】
【００１５】
【図１】本考案のペットクリーンボックスの全体構造を示す模式的斜視図。
【図２】本考案のペットクリーンボックスの断面図（ａ）と（ａ）の矢視Ａの側面図（ｂ）。
【図３】本考案のペットクリーンボックスのペットの付着物の短時間除去の排気手段の一つの実施例を示す部分断面図。
【図４】本考案のペットクリーンボックスのペットの居住空間の衛生管理中の排気手段の一つの実施例を示す部分断面図。
【図５】本考案のペットクリーンボックスの天井板と箱体本体とが別体のものからなる箱体を示す模式図。
【考案を実施するための形態】
【００１６】
以下、本考案のペットクリーンボックスの実施の形態を図面を参照して詳述する。
【実施例１】
【００１７】
図１及び図２（ａ），（ｂ）は本考案のペットクリーンボックス１００の全体構造を説明するための斜視図及び断面図等である。
【００１８】
ペットクリーンボックス１００はペット８（ここでは小型犬８ａ）を収容できて移動可能な箱体１からなり、箱体１には防虫剤を内装したＡ吸気口２や芳香剤を内装したＢ吸気口３や消臭剤を内装した排気口４や、この排気口４に係合して設けられて箱体１内の空気を外部に排出するための排気手段５等が設けられている。また、箱体１の内部にはペット８専用の排便具６や専用のマット類７が出し入れ可能に配設されている。以下、これらの構成物の構造等を詳しく説明する。
【００１９】
箱体１は箱体本体１ａとこの上に搭載されている天井板１ｂとからなり、ペット８が出入りしても壊れない適度な剛性を持ち、且つ人手で十分搬送が可能な程度に重量の軽量化が図られている。具体的な一例として透明な樹脂材で周囲を囲った構造を有している（図１，図２等ではその詳細構造は示されていない）。また、図５に示すように天井板１ｂは箱体本体１ａの上に搭載された構造なので、箱体本体１ａとの取り付け取り外しが簡単に行なえ、内部に配設されているペット８専用の排便具６やマット類７の出し入れ等が容易に行なえる。なお、ペットクリーンボックスを移動する際に、箱体本体１ａと天井板１ｂとを分離して移動させることが可能なので、人力のみで十分に移動が行なえる。
【００２０】
箱体本体１ａにはペット８が箱体本体１ａに出入りするための扉１ｃが設けられている。この扉１ｃの開閉機構は任意のものでよいが、具体的な一例としてファスナが用いられる。
【００２１】
Ａ吸気口２やＢ吸気口３には不織布３ａ又は多孔質素材が内装され、これ等には防虫剤や芳香剤が注入され又は除菌剤や浄化剤も浸漬される。
【００２２】
排気口４には不織布４ａや多孔質素材が内装され、これ等には防虫剤や芳香剤が注入され又は除菌剤や浄化剤も浸漬される。
【００２３】
ペット８専用の排便具６は、取扱が簡便で殺菌効果や消臭効果の高い市販品を使用する。また、ペット８専用のマット類７も、寝心地がよく除菌効果の高い市販品を使用する。
【実施例２】
【００２４】
排気口４に係合する排気手段５としては各種のものがあるが、ペットの付着物の短時間除去の一つの実施例として、図３に示すように家庭用電気掃除機９の吸引部先端のフレキシブルチューブ９ａを、排気口４に嵌合して作動することにより箱体１内の空気を急速に吸入し排気することが出来る。
【実施例３】
【００２５】
排気口４に係合する排気手段５としては各種のものがあるが、ペットの住空間の衛生管理中の排気手段の一つの実施例として、図４に示すように１００ｖ電源に連結された送風体１０の吸引部先端を、排気口４に嵌合して作動することにより箱体１内の空気を長時間、静かに吸入し排気することが出来る。
【００２６】
本考案は以上の説明の内容のものからなるが、本考案は以上の内容に限定するものではなく、例えば箱体１内にペット８の遊び用ペットや愛玩グッズ等を設けるという内容のものも同一技術的範疇と見做し、本考案の適用範囲とすることは勿論のことである。
【産業上の利用可能性】
【００２７】
本考案のペット８としては、例えば小型犬８ａを対象としているがペット８は任意のものでよく、且つ箱体１の形状、構造、材質、色彩は任意のものでよい。また、抑制手段や機能向上手段の対象もダニ、抜け毛、匂いに限定するものではなく、排気手段５も公知技術が適用され、専用の排便具６やマット類７も任意のものでよく、その利用範囲は広い。また、寒暖差のある場合は冷暖房設備を備えるものでもよく、その利用範囲は極めて広い。
【符号の説明】
【００２８】
１        箱体
１ａ      箱体本体
１ｂ      天井板
１ｃ      扉
２        Ａ吸気口
２ａ      不織布
３        Ｂ吸気口
３ａ      不織布
４        排気口
４ａ      不織布
５        排出手段
６        ペット専用の排便具（市販品）
７        ペット専用のマット類（市販品）
８        ペット
８ａ      小型犬
９        家庭用電気掃除機
９ａ      フレキシブルチューブ
１０      送風体
１１      インバータ
１２      電源（１００ｖ）
１０００  ペットクリーンボックス
【図１】
0003171449.tif 000003
【図２】
0003171449.tif 000004
【図３】
0003171449.tif 000005
【図４】
0003171449.tif 000006
【図５】
0003171449.tif 000007